(57)【要約】【課題】洗い場を形成するフロアを利用して足湯を行うことのできる浴室ユニットを提供すること。【解決手段】浴室の洗い場Ｓを形成するフロア１１の面内に、洗い場Ｓの底部１１Ａよりも低い底部１３Ａを備えた貯水部１３が設けられている。この貯水部１３は、浴槽１２に沿って延びる平面視略長方形状をなして当該浴槽１２と洗い場Ｓとの間に設けられている。貯水部１３には、専用の第１の排水口２０と、所定水位を超えたときの排水を行う第２の排水口２１とが設けられている。貯水部１３への湯水の供給は、カウンター１４の前面に設けられた給湯・給水栓２２を操作することによってカウンター１４内に位置する給湯・給水管２３から行われる。【選択図】図１
2009275410.tif 000002
【特許請求の範囲】
【請求項１】
浴室の洗い場を形成するフロアの面内に、底部位置を低く設定した貯水部を設けたことを特徴とする浴室ユニット。
【請求項２】
前記貯水部は、洗い場排水口から独立した第１の排水口と、所定水位を超えたときの排水を行う第２の排水口とを備えていることを特徴とする請求項１記載の浴室ユニット。
【請求項３】
前記貯水部は、前記洗い場と浴槽との間に配置されていることを特徴とする請求項１又は２記載の浴室ユニット。
【請求項４】
前記貯水部は浴槽に沿って延びる平面形状を備え、その一端側の上部に給湯・給水栓が配置されていることを特徴とする請求項１，２又は３記載の浴室ユニット。
【請求項５】
前記貯水部の長手方向一端側にカウンターが設けられ、当該カウンター内に給湯・給水管が隠蔽された状態で位置する一方、カウンターの側面若しくは前面に蛇口が位置することを特徴とする請求項４記載の浴室ユニット。
【発明の詳細な説明】
【技術分野】
【０００１】
本発明は浴室ユニットに係り、特に、浴室の洗い場を形成するフロア領域で足湯を行うことのできる浴室ユニットに関する。
【背景技術】
【０００２】
足湯は、全身浴と異なり、膝下だけを湯につけるものであるため、のぼせ難く、また、足を暖めることで、膝下を通る血管を通じて全身を暖めることができるという利点がある。更に、健康上の理由により、全身浴が制限されている人であっても、足湯が許容される場合には、これを効果的に利用することができ、最近では、温泉地、観光地において足湯施設が普及しつつある。
【０００３】
そこで、一般家庭においても足湯を可能とすれば、簡易に利用することができ、足湯として利用を企図した浴槽等が提案されている（例えば、特許文献１参照）。
【特許文献１】特開２００５−１３７８４５号公報
【発明の開示】
【発明が解決しようとする課題】
【０００４】
特許文献１は、浴槽の側面に折り畳み可能な椅子を設け、当該椅子に着座した姿勢で浴槽内に膝下を入れて足湯が行えるようになっている。
特許文献１に記載された構成によれば、浴槽を利用することで設備の効果的利用が図れる反面、足湯として利用した後に、その湯を用いて全身浴をしようとしたときの生理的抵抗感は強いものとなる。
また、浴槽を足湯として利用する際は、浴槽の平面積と水位との相関関係により、湯を無駄に消費するばかりでなく、湯温が数分で低下してしまい、足湯が果たす本来の効果を享受しえない、という不都合がある。更に、複数人で同時に足湯を行うことも困難となっている。
【０００５】
［発明の目的］
本発明は、このような不都合に着目して案出されたものであり、その目的は、洗い場を形成するフロア領域で足湯を行うことのできる浴室ユニットを提供することにある。
【課題を解決するための手段】
【０００６】
前記目的を達成するため、本発明は、浴室の洗い場を形成するフロアの面内に、底部位置を低く設定した貯水部を設ける、という構成を採っている。
【０００７】
本発明において、前記貯水部は、洗い場排水口から独立した第１の排水口と、所定水位を超えたときの排水を行う第２の排水口とを備えた構成とすることが好ましい。
【０００８】
また、前記貯水部は、前記洗い場と浴槽との間に配置される、という構成を採っている。
【０００９】
更に、前記貯水部は浴槽に沿って延びる平面形状を備え、その一端側の上部に給湯・給水栓が配置される、という構成を採るとよい。
この構成において、前記貯水部の長手方向一端側にカウンターが設けられ、当該カウンター内に給湯・給水管が隠蔽された状態で位置する一方、カウンターの側面若しくは前面に蛇口が位置する、という構成を採ることができる。
【発明の効果】
【００１０】
本発明によれば、フロアの面内に貯水部を設けたことにより、当該貯水部に湯を張って足湯として利用することができる。しかも、浴槽を足湯として利用した場合の抵抗感もない。また、浴室内に常備されるスツール（風呂椅子）を利用して足湯を行えば、足湯に際して無理な姿勢が強いられることなく楽な姿勢で足湯が可能となる。
また、第１の排水口と第２の排水口とを備えた貯水部とすることで、貯水部としての独立性を担保することができる。
更に、貯水部を洗い場と浴槽との間に配置した場合には、浴槽及び洗い場からの排水を排出する排水路を共用する設計を取り易くなるという利点がある。
また、貯水部が浴槽に沿う長さであれば、複数人での足湯が可能となり、更に、貯水部の一端側に給湯、給水栓を配置することで、洗い場を濡らしてしまうようなこともない。
なお、前記貯水部は、足湯を行う場合に特に適合するが、足を洗うために利用したり、浴室備品等の洗浄に利用することもできるものである。
【発明を実施するための最良の形態】
【００１１】
以下、本発明の好ましい実施の形態について図面を参照しながら説明する。
【００１２】
図１には、本実施形態に係る浴室ユニットの概略斜視図が示され、図２には、その一部平面図が示されている。これらの図において、浴室ユニット１０は、洗い場Ｓを形成するフロア１１と、当該フロア１１に併設された浴槽１２と、洗い場Ｓと浴槽１２との間におけるフロア１１の面内に設けられた貯水部１３と、フロア１１の上部に配置されたカウンター１４とを備えて構成されている。
【００１３】
前記フロア１１は、平面視略方形の底部１１Ａと、この底部１１Ａの外周側に位置する立ち上がり部１１Ｂとからなり、前記貯水部１２側に設けられた洗い場排水口１６に向かって湯水が流れる勾配が付与されている。なお、底部１１Ａと前記貯水部１３との間には、洗い場Ｓ上での洗体等によって底部１１Ａ上に湯水が流れたときに、当該湯水を洗い場排水口１６に流す溝１１Ｃを設けることが好ましい。
【００１４】
前記貯水部１３は、浴槽１２に沿う平面視略長方形状をなし、その一端側すなわち図２中上端側が前記カウンター１４の下部領域まで達する一方、他端側がフロア１１の立ち上がり部１１Ｂに達する長さに設けられている。貯水部１３の底部１３Ａは、図３に示されるように、フロア１１の底部１１Ａよりも低い位置に設定されており、フロア１１側の側壁中央部には、洗い場排水口１６から独立した第１の排水口２０が設けられているとともに、図２中下端側側壁の上面には、貯水部１３内の湯水が所定水位を超えたときの排水を行う第２の排水口２１が設けられている。なお、貯水部１３の短寸方向幅は特に限定されるものではないが、成人男性が足湯を行うに足りる程度、例えば、２６センチ程度あるとよい。また、深さは、少なくとも足首を浸けることのできる水位が保てる程度とされる。第１の排水口２０には、図示しない栓体が着脱自在に設けられる。
【００１５】
前記カウンター１４は、前記貯水部１３及びフロア１１の領域内において、前記貯水部１３の長手方向と略直交する方向に沿って設けられている。カウンター１４の前面パネル１４Ａには、洗い場Ｓで使用する給湯・給水栓２４が配置されているとともに、貯水部１３で使用する給湯、給水栓２２を構成する蛇口２２Ａ、２２Ｂが配置されている。また、カウンター１４の内部には、略鉛直方向に向けられた給湯・給水管２３が配置されており、これにより、給湯・給水管２３が隠蔽された状態でカウンター１４内に位置するようになっている。
【００１６】
なお、図３中符号３０は洗い場に流れた湯水を排水口１６から排水するための主配水管を示し、符号３１は、第１の排水口２０を通じて貯水部１３の湯水を主排水管３０に流す排水管を示す。なお、ここでは図示省略しているが、第２の排水口２１から流れた湯水も主排水管３０に接続されるようになっている。
【００１７】
本実施形態において、貯水部１３で足湯を行う場合には、給湯・給水栓２２を開操作して貯水部１３に湯水を適当な水位に達するまで供給すればよい。そして、洗い場Ｓ上にスツールを配置して腰掛けた姿勢で足湯を行えば、負担のない姿勢で足湯を行うことができる。なお、膝下を貯水部１３内に入れたときの重さによって水位が所定水位を超えたときには、前記第２の排水口２１から排水が行われるため、洗い場Ｓ側に湯水が漏れ出るような不都合は生じない。従って、衣類を着たまま洗い場Ｓに直接座った状態でも、衣類が濡れてしまうような不都合は生じない。
【００１８】
従って、このような実施形態によれば、浴槽１２を利用することなく、当該浴槽１２とは独立した貯水部１３を利用して足湯を行うことができる、という効果を得る。しかも、洗い場Ｓを濡らすことなく、貯水部１３を利用して足や浴室内備品等を洗ったりすることができる。
【００１９】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施例に対し、形状、位置若しくは方向、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００２０】
例えば、前記実施形態では、貯水部１３専用の蓋を示していないが、必要に応じて蓋を用いて閉蓋するようにしてもよい。これにより、貯水部１３内の湯温が急激に下がることを防止できるので、一定時間内で足湯を繰り返すときに便利となる。
【００２１】
また、貯水部１３に給湯、給水を行うための給湯・給水栓２２を設けずに、洗い場側の給湯・給水栓２４に適当な切替レバーを設けるとともに、カウンター１４内の図示しない配管を一部貯水部１３側に延長して当該貯水部１３に給湯できるようにしてもよい。
【００２２】
更に、貯水部１３の形成部位は、図示構成例に限定されるものではなく、洗い場Ｓと独立した領域に設けられていれば足りる。
【図面の簡単な説明】
【００２３】
【図１】貯水部を備えた浴室ユニットの一部概略斜視図。
【図２】図２の要部平面図。
【図３】図２のＡ−Ａ線矢視拡大断面図。
【符号の説明】
【００２４】
１０…浴室ユニット、Ｓ…洗い場、１１…フロア、１１Ａ…底部、１２…浴槽、１３…貯水部、１３Ａ…底部、１４…カウンター、１６…洗い場排水口、２０…第１の排水口、２１…第２の排水口、２２…給湯・給水栓、２２Ａ、２２Ｂ…蛇口
【図１】
2009275410.tif 000003
【図２】
2009275410.tif 000004
【図３】
2009275410.tif 000005